(57)【要約】【課題】返却された貸出用品の消毒処理を効率よく行う。【解決手段】貸出管理システムは、貸出用品の貸出に関する履歴、および貸出用品の返却に関する履歴を格納する履歴格納部と、貸出先から返却される貸出用品の返却数および返却時期を履歴に基づいて予測する返却予測部と、履歴に基づいて貸出用品の貸出数および貸出時期を予測する貸出予測部と、貸出予測部の予測、および返却予測部の予測に基づいて貸出用品の消毒計画をたてる消毒計画部とを備える。【選択図】　図２
2004070927.tif 000002
【特許請求の範囲】
【請求項１】
返却された貸出用品を消毒処理した後に再度貸出すための管理を行う貸出管理システムであって、
前記貸出用品の返却に関する履歴を格納する履歴格納部と、
貸出先から返却される前記貸出用品の返却数および返却時期を前記履歴に基づいて予測する返却予測部と、
前記返却予測部の予測に基づいて前記貸出用品の消毒計画をたてる消毒計画部と
を備えることを特徴とする貸出管理システム。
【請求項２】
前記履歴格納部は、前記貸出用品の貸出に関する履歴をさらに格納しており、
前記履歴に基づいて前記貸出用品の貸出数および貸出時期を予測する貸出予測部をさらに備え、
前記消毒計画部は、前記貸出予測部の予測に基づいて前記消毒計画をたてる
ことを特徴とする請求項１に記載の貸出管理システム。
【請求項３】
返却されている前記貸出用品のうち前記消毒処理が行われた消毒済みの在庫数を格納する在庫情報格納部をさらに備え、
前記消毒計画部は、前記消毒済みの在庫数に基づいて前記消毒計画をたてる
ことを特徴とする請求項１に記載の貸出管理システム。
【請求項４】
前記在庫情報格納部は、返却されている前記貸出用品のうち未だに前記消毒処理が行われていない未消毒の在庫数をさらに格納しており、
前記消毒計画部は、前記未消毒の在庫数に基づいて前記消毒計画をたてる
ことを特徴とする請求項３に記載の貸出管理システム。
【請求項５】
前記貸出時期までに購入する前記貸出用品の購入予定を格納する購入予定格納部をさらに備え、
前記消毒計画部は、前記購入予定に基づいて前記消毒計画を立てる
ことを特徴とする請求項１に記載の貸出管理システム。
【請求項６】
前記貸出用品を消毒処理するために必要な消毒所要時間を格納する消毒情報格納部をさらに備え、
前記消毒計画部は、前記消毒所要時間に基づいて前記消毒計画をたてる
ことを特徴とする請求項１に記載の貸出管理システム。
【請求項７】
前記貸出用品を借り受ける者から提供される借受人情報を格納する借受人情報格納部をさらに備え、
前記消毒計画部は、前記借受人情報に基づいて前記消毒計画をたてる
ことを特徴とする請求項１に記載の貸出管理システム。
【請求項８】
前記消毒計画部は、前記消毒計画として前記貸出用品を消毒処理する個数及び時期を求める
ことを特徴とする請求項１から７のいずれか１項に記載の貸出管理システム。
【請求項９】
前記消毒計画部は、前記消毒計画として前記消毒処理を行うために必要な作業員数を求める
ことを特徴とする請求項８に記載の貸出管理システム。
【請求項１０】
返却された貸出用品を消毒処理した後に再度貸出すための管理をコンピュータに実現させるプログラムであって、
貸出先から返却される前記貸出用品の返却数および返却時期を前記貸出用品の返却に関する履歴に基づいて予測する返却予測機能と、
前記返却予測部の予測に基づいて前記貸出用品の消毒計画をたてる消毒計画機能と
を前記コンピュータに実現させることを特徴とするプログラム。
【発明の詳細な説明】
【０００１】
【発明の属する技術分野】
本発明は、消毒処理を必要とする貸出用品を管理するための貸出管理システム及びプログラムに関する。
【０００２】
【従来の技術】
従来、自動車、ビデオカメラ、ビデオカセット等、種々の物品を顧客に貸し出すレンタルビジネスが知られている。
【０００３】
【発明が解決しようとする課題】
近年、レンタルビジネスで顧客に貸し出す物品（以下、「貸出用品」という）の対象が増え、衛生上の観点から再貸出前に消毒することが好ましい物品も貸出用品に含まれるようになった。このような貸出用品は、貸出用品の消毒処理を計画的に行わなければ、貸出注文に貸出用品の消毒処理が間に合わずビジネスチャンスを逃がしたり、貸出需要以上に貸出用品の消毒処理を行い作業員の人件費を浪費したりすることがある。
【０００４】
そこで本発明は、上記の課題を解決することのできる貸出管理システム及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、返却された貸出用品を消毒処理した後に再度貸出すための管理を行う貸出管理システムが提供される。この貸出管理システムは、貸出用品の返却に関する履歴を格納する履歴格納部と、貸出先から返却される貸出用品の返却数および返却時期を上記履歴に基づいて予測する返却予測部と、返却予測部の予測に基づいて貸出用品の消毒計画をたてる消毒計画部とを備える。
【０００６】
貸出管理システムでは、履歴格納部が、貸出用品の貸出に関する履歴をさらに格納しており、貸出管理システムが上記履歴に基づいて貸出用品の貸出数および貸出時期を予測する貸出予測部をさらに備え、前記消毒計画部は、前記貸出予測部の予測に基づいて前記消毒計画をたててもよい。
また、貸出管理システムは、返却されている貸出用品のうち消毒処理が行われた消毒済みの在庫数を格納する在庫情報格納部をさらに備え、消毒計画部は、消毒済みの在庫数に基づいて消毒計画をたててもよい。
【０００７】
在庫情報格納部は、返却されている貸出用品のうち未だに消毒処理が行われていない未消毒の在庫数をさらに格納しており、消毒計画部は、未消毒の在庫数に基づいて前記消毒計画をたててもよい。
貸出管理システムは、貸出時期までに購入する貸出用品の購入予定を格納する購入予定格納部をさらに備え、消毒計画部は、購入予定に基づいて消毒計画を立ててもよい。
【０００８】
貸出管理システムは、貸出用品を消毒処理するために必要な消毒時間を格納する消毒情報格納部をさらに備え、消毒計画部は、消毒時間に基づいて消毒計画をたててもよい。
【０００９】
貸出管理システムは、貸出用品を借り受ける者から提供される借受人情報を格納する借受人情報格納部をさらに備え、消毒計画部は、借受人情報に基づいて消毒計画をたててもよい。
【００１０】
なお、消毒計画部は、消毒計画として貸出用品を消毒処理する個数及び時期を求めることが好ましく、また、消毒計画部は、消毒計画として消毒処理を行うために必要な作業員数を求めることが好ましい。
【００１１】
本発明の第２の形態によると、返却された貸出用品を消毒処理した後に再度貸出すための管理をコンピュータに実現させるプログラムが提供される。このプログラムは、貸出先から返却される貸出用品の返却数および返却時期を貸出用品の返却に関する履歴に基づいて予測する返却予測機能と、返却予測部の予測に基づいて貸出用品の消毒計画をたてる消毒計画機能とをコンピュータに実現させる。
【００１２】
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１４】
図１は、本発明の一実施形態に係る貸出管理システム１００の概要を示す。貸出管理システム１００は、返却された貸出用品を消毒処理した後に再度貸出すための管理を行う。本実施形態の貸出管理システム１００は、特に、ケアマネージャー１１６によって介護が必要であると認定された被介護人１１４に対する貸出用品１０４の貸出、返却、および消毒処理に関する情報を管理する。貸出管理システム１００が管理する貸出用品１０４には、ケアマネージャー１１６が被介護人１１４への貸出を指示した介護用ベッド、車椅子等の介護用品が含まれる。これらの貸出用品１０８の各々には、それぞれの整理番号（以下、「用品番号」という）を示すバーコード１１０が付されている。貸出用品１０４は、貸出前および返却後に倉庫１０２に保管される。また、返却された貸出用品１０４は、再貸出の前に消毒設備１０８で消毒処理を施される。
【００１５】
貸出管理システム１００は、貸出用品１０４に付されているバーコードを読み取るバーコード読取装置１１０と、ケアマネージャー１１６が被介護人１１４に関する情報を入力するケアマネージャー端末１１８と、被介護人１１４から返却された貸出用品１０４の消毒計画をたてる消毒計画装置１１２とを有する。
【００１６】
本実施形態では、貸出用品１０４の貸出、返却、または消毒のいずれかの処理を行うときに、対象となっている貸出用品１０４のバーコード１０６を作業員がバーコード読取装置１１０を用いて読み取る。バーコード読取装置１１０は、行われた処理内容を示す情報と共に読み取ったバーコードの内容を消毒計画装置１１２へ送信する。
【００１７】
また、本実施形態では、ケアマネージャー１１６が被介護人１１４と面談等を行った結果に基づいてケアマネージャー端末１１８に被介護人１１４に関する情報を入力する。ケアマネージャー１１６は、例えば、借受人番号、貸出予定品名称、および貸出予定時期（以下、「借受人情報」という）をケアマネージャ端末１１８に入力する。ここで、借受人番号は、貸出管理システム１００に登録されている被介護人１１４の整理番号である。また、貸出予定品名称および貸出予定時期は、ケアマネージャー１１６が借受人番号によって特定される被介護人１１４に将来貸し出す必要があると予想する貸出用品１０４の名称および貸出時期である。ケアマネージャー端末１１８は、入力された借受人情報を消毒計画装置１１２へ送信する。
【００１８】
一方、消毒計画装置１１２は、バーコード読取装置１１０およびケアマネージャー端末１１８から送信された情報に基づいて貸出用品１０４を消毒すべき時期および数等を計画する。
【００１９】
図２は、消毒計画装置１１２の機能ブロック図である。消毒計画装置１１２は、バーコード読取装置１１０が送信する情報に基づいて、消毒済みの在庫数および未消毒の在庫数を求めて格納する在庫情報格納部１５０を有する。ここで、消毒済みの在庫数は、返却され、倉庫１０２に保管されている貸出用品１０４のうち消毒処理が行われたものの数である。また、未消毒の在庫数は、返却され、倉庫１０２に保管されている貸出用品１０４のうち未だに消毒処理が行われていないものの数である。
【００２０】
貸出消毒計画装置１１２は、さらに、バーコード読取装置１１０が送信する情報に基づいて、貸出用品１０４の貸出に関する履歴、及び貸出用品１０４の返却に関する履歴を格納する履歴格納部１５６を有する。本実施形態において、貸出に関する履歴、及び返却に関する履歴とは、各々の貸出用品が過去に貸し出された日付、及び返却された日付の記録をいう。
【００２１】
貸出消毒計画装置１１２は、さらに、新規に購入する貸出用品１０４の購入予定を格納する購入予定格納部１５２と、ケアマネージャー端末１１８から送信された借受人情報を格納する借受人情報格納部１５４と、貸出用品１０４の消毒処理に関連する消毒情報を格納する消毒情報格納部１５８とを有する。
【００２２】
また、消毒計画装置１１２は、履歴格納部１５６に格納されている履歴に基づいて貸出用品１０４の将来の貸出時期および貸出数を予測する貸出予測部１６０と、貸出先から返却される貸出用品の返却時期および返却数を上記履歴に基づいて予測する返却予測部１６２とを有する。貸出予測部１６０および返却予測部１６２は、共に、予測した情報を消毒計画部１６６へ送信する。
【００２３】
消毒計画装置１１２は、さらに、在庫情報格納部１５０、購入予定格納部１５２、借受人情報格納部１５４、及び消毒情報格納部１５８の各々に格納されている情報、並びに、貸出予測部１６０及び返却予測部１６２がそれぞれ出力する情報に基づいて貸出用品１０４の消毒計画をたてる消毒計画部１６６を有する。また、消毒計画装置１１２は、貸出予測部１６０、返却予測部１６２、および消毒計画部１６６から送信された情報を表示する液晶ディスプレイ等の出力部１６４を有する。
【００２４】
図３は、在庫情報格納部１５０に格納される情報の一例を示す。本実施形態では、貸出管理システム１００が取り扱っている貸出用品１０４の名称と、その貸出用品１０４の消毒済みの在庫数および未消毒の在庫数が互いに対応づけられて在庫情報格納部１５０に格納される。図示の例では、貸出用品「ベット」の在庫として、消毒済みのベッドが４３個あり、未消毒のベッドが５６ある旨の情報等が在庫情報格納部１５０に格納されている。なお、消毒済みの在庫数には、新規に購入された貸出用品１０４の在庫数が含まれていてもよい。
【００２５】
図４は、購入予定格納部１５２に格納される情報の一例を示す。本実施形態では、貸出用品１０４の名称と、その貸出用品１０４の購入予定時期、および購入予定数が互いに対応づけられて購入予定格納部１５２に格納される。図示の例では、貸出用品「ベッド」が２００１年４月１５に１０個、２００１年５月１５日に２５個、それぞれ購入する予定である旨の情報等が購入予定格納部１５２に格納されている。
【００２６】
図５は、借受人情報格納部１５４に格納される情報の一例を示す。本実施形態では、借受人番号、貸出予定品名称、および貸出予定時期が互いに対応付けられて借受人情報格納部１５４０に格納される。図示の例では、借受人番号１７３８で特定される被介護人１１４に車椅子が２００１年８月１０日に貸し出される予定である旨の情報等が借受人格納部１５４に格納されている。
【００２７】
図６は、履歴格納部１５６に格納される情報の一例を示す。本実施形態では、用品番号、貸出用品名称、および用品番号で特定される貸出用品１０４の貸出日、及び返却日が互いに対応付けられて履歴格納部１５６に格納される。図示の例では、用品番号００１の貸出用品１０４がベッドであり、１９９９年１月１５日に貸し出され、２０００年１２月２１日に返却されている旨の情報が履歴格納部１５６に格納されている。また、用品番号００３の貸出用品１０４が車椅子であり、１９９９年１２月１２日に貸し出されているが、未だに返却されていない旨の情報が履歴格納部１５６に格納されている。
【００２８】
本実施形態では、貸出予測部１６０が、履歴格納部１５６に格納されている貸出用品名称および貸出日を参照して各月における貸出用品１０４の一日当たりの平均貸出数を貸出用品１０４の種類別に求める。また、貸出予測部１６０は、求めた各月の平均貸出数から貸出数の増加率を求める。そして、貸出予測部１６０は、平均貸出数および貸出数の増加率から将来の貸出用品１０４が貸し出される貸出時期とその貸出数とを予測する。
【００２９】
一方、返却予測部１６２は、履歴格納部１５６に格納されている情報に基づいて、貸出用品１０４の種類別に、貸し出された日から返却される日までの平均貸出日数を求める。そして、返却予測部１６２は、求めた平均貸出日数と、履歴格納部１５６に格納されている貸出日とから、貸出中の貸出用品１０４が返却される返却時期とその返却数とを予測する。
【００３０】
図７は、消毒情報格納部１５８に格納される情報の一例を示す。本実施形態では、貸出用品名称、消毒所要時間、および所要作業員数が互いに対応付けられて消毒情報格納部１５８に格納される。ここで、消毒所要時間は、貸出用品を消毒するために必要な時間であり、より詳細には、貸出用品を消毒するための処理を開始してからその貸出用品を貸し出しできる状態にするまでに必要とされる時間である。例えば、消毒後に貸出用品を袋詰めしてからその貸出用品を貸し出す場合には、袋詰めに要する時間も消毒所要時間に含まれる。所要作業員数は、貸出用品を消毒するために必要とされる作業員の数である。図示の例では、貸出用品「ベッド」の消毒所要時間が３時間で、所要作業員数が３名である旨の情報等が消毒情報格納部１５８に格納されている。
【００３１】
図８は、消毒計画部１６６の機能ブロック図である。以下、図８を用いて消毒計画部１６６の機能について説明するが、ここでは、説明の簡単のため、貸出管理システム１００によって貸出等が管理されている貸出用品の種類が１つだけであると仮定して説明を行う。
【００３２】
消毒計画部１６６は、貸出予測部１６０の予測する貸出数（以下、「第１貸出数」という）を貸出用品１０４を借り受ける借受人に関する情報に基づいて修正する貸出数修正部１８０を有する。貸出数修正部１８０は、借受人情報格納部１５４が格納されている借受人情報を貸出予定時期別に集計することで、ケアマネージャーが予測する貸出用品の貸出数（以下、「第２貸出数」という）および貸出時期を求める。次に、貸出数修正部１８０は、第１貸出数と第２貸出数とを貸出時期毎に比較し、第２貸出数が第１貸出数を越えている場合には、その貸出時期の第１貸出数を第２貸出数に置き換える。
【００３３】
消毒計画部１６６は、さらに、倉庫１０２に保管されている消毒済みの貸出用品１０４（以下、「消毒済み在庫」という）について貸出計画をたてる消毒済み在庫貸出計画部１８２を有する。消毒済み在庫貸出計画部１８２は、在庫情報格納部１５０に格納されている貸出用品１０４の消毒済み在庫数と、貸出数修正部１８０から送信された第１貸出数およびその貸出時期とに基づいて、消毒済み在庫の貸出時期および貸出数を計画する。本実施形態では、在庫貸出計画部１８２は、例えば消毒済み在庫が可能な限り早い時期に貸し出されるように消毒済み在庫の貸出時期および貸出数を計画する。計画された消毒済み在庫の貸出時期および貸出数は、出力部１６４へ送信される。また、消毒済み在庫貸出計画部１８２は、貸出数修正部１８０から送信された第１貸出数と、計画した消毒済み在庫の貸出数との差を各貸出時期について求める（以下、求めた差および対応する貸出時期を「第１差分情報」という）。
【００３４】
消毒計画部１６６は、さらに、新規に購入する貸出用品１０４（以下、「新規貸出用品」という）の貸出計画をたてる新規購入品貸出計画部１８４を有する。新規購入品貸出計画部１８４は、購入予定格納部１５２に格納されている情報と、消毒済み在庫貸出計画部１８２とが求めた第１差分情報とに基づいて、新規貸出用品の貸出時期および貸出数を計画する。本実施形態では、新規購入品貸出計画部１８４は、新規貸出用品が購入後の可能な限り早い時期に貸し出されるようにその貸出時期および貸出数を計画する。計画された新規貸出用品の貸出時期および貸出数は、出力部１６４へ送信される。また、新規購入品貸出計画部１８４は、第１差分情報で示される数と、計画した新規貸出用品の貸出数との差を各貸出時期について求める（以下、求めた差および対応する貸出時期を「第２差分情報」という）。
【００３５】
消毒計画部１６６は、さらに、倉庫１０２に保管されている未消毒の貸出用品１０４（以下、「未消毒在庫」という）について消毒計画をたてる在庫消毒計画部１８６を有する。在庫消毒計画部１８６は、在庫情報格納部１５０に格納されている未消毒在庫数、および消毒情報格納部１５８に格納されている消毒所要時間に基づいて、新規購入品貸出計画部１８４が求めた第２差分情報に示される貸出時期に未消毒在庫の貸出が可能となるよう未消毒在庫の消毒時期および数を計画する。本実施形態では、在庫消毒計画部１８６は、消毒処理される未消毒在庫の数が時期によらず可能な限り一定となるように未消毒在庫の消毒時期および数を計画する。また、在庫消毒計画部１８６は、上記計画に基づいて消毒された貸出用品が可能な限り早く貸し出されるようにそれらを貸し出す時期および数を計画する。計画された消毒時期および数、並びに貸出時期および数は、出力部１６４へ送信される。さらに、在庫消毒計画部１８６は、計画した未消毒在庫の貸出数と、第２差分情報で示される数との差を各貸出時期について求める（以下、求めた差および対応する貸出時期を「第３差分情報」という）。
【００３６】
消毒計画部１６６は、さらに、返却される貸出用品１０４の消毒計画をたてる返却品消毒計画部１８８を有する。返却品消毒計画部１８８は、返却予測部１６２が予測する貸出用品１０４の返却時期および数、および消毒情報格納部１５８に格納されている消毒所要時間に基づいて、返却された貸出用品１０４が、返却予測部１６２が求めた第３差分情報に示される時期中に貸出可能となるよう返却される貸出用品１０４の消毒時期および数を計画する。本実施形態では、返却品消毒計画部１８６は、返却される貸出用品１０４の消毒処理される数が時期によらず可能な限り一定となるように消毒時期および数を計画する。また、返却品消毒計画部１８８は、上記計画に基づいて消毒された貸出用品１０４が可能な限り早く貸し出されるようにそれらを貸し出す時期および数を計画する。計画された消毒時期および数、並びに貸出時期および数は、出力部１６４へ送信される。また、返却品消毒計画部１８８は、計画した貸出用品１０４の貸出数と、第３差分情報で示される数との差を各貸出時期について求める（以下、求めた差および対応する貸出時期を「第４差分情報」という）。
【００３７】
消毒計画部１６６は、さらに、上記第４差分情報で示される時期に、第４差分情報で示される数の貸出用品１０４が貸出可能となるように購入予定可能部１５２に格納されている情報を上方修正する購入修正部１９０を有する。また、消毒計画部１６６は、在庫消毒計画部１８６および返却品消毒計画部１８８の各々が出力する消毒計画、並びに消毒情報格納部１５８に格納されている所要作業員数に基づいて、上記消毒計画を実行するために必要となる作業員の数およびその時期を求める作業員数決定部１９２を有する。購入修正部１９０が修正した情報の内容、および作業員数決定部１９２が求めた作業員の数および時期は、いずれも出力部１６４へ送信される。
【００３８】
図９は、消毒計画装置１１２のハードウェア構成の一例を示すブロック図である。本実施形態の消毒計画装置１１２は、ＣＰＵ２０４と、ＣＰＵ２０４が実行すべきプログラムを格納するＲＯＭ２０８及びＲＡＭ２１０を有する。また、消毒計画装置１１２は、ユーザが種々の指示を入力できるキーボード等の入力装置２１４と、例えば画像を表示できるディスプレイである出力装置２１６を有する。さらに消毒計画装置１１２は、画像やプログラム等を格納するハードディスクドライブ２１２と、フロッピー（登録商標）ディスク２０２との間でデータの読み取りまたは書き込むを行うフロッピー（登録商標）ディスクドライブ２０６とを有する。
【００３９】
ＣＰＵ２０４は、ＲＯＭ２０８又はＲＡＭ２１０に格納されているプログラムを実行することにより、図２において説明した各機能ブロックの機能を実現する。ＣＰＵ２０４が実行すべきプログラムは、予めＲＯＭ２０８又はハードディスクドライブ２１２に格納されていてもよく、あるいは、フロッピー（登録商標）ディスク２０２により提供されてもよい。なお、フロッピー（登録商標）ディスク２０２は、コンピュータが読み取り可能なプログラムを記録する記録媒体の一例であり、ＣＰＵ２０４が実行すべきプログラムは、フロッピー（登録商標）ディスク２０２の代わりに、例えば、ＣＤ−ＲＯＭ、ＤＶＤ等の光学的記録媒体、ＭＤ等の磁気的記録媒体、ＩＣカード等の半導体メモリなどにより提供されてもよい。
【００４０】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
例えば、貸出用品１０４は、ベッド、車椅子等の介護用品の代わりに、皿、茶碗、湯飲み等の食器など、再貸出の前に消毒処理を施す必要がある他の物品であってもよい。
【００４１】
【発明の効果】
上記説明から明らかなように、本発明によれば、消毒計画部が返却予測部の予測に基づいて貸出用品の消毒計画をたてるので、返却された貸出用品の消毒処理を効率よく行える。
【図面の簡単な説明】
【図１】本発明の一実施形態に係る貸出管理システム１００の概要を示す。
【図２】消毒計画装置１１２の機能ブロック図である。
【図３】在庫情報格納部１５０に格納される情報の一例を示す。
【図４】購入予定格納部１５２に格納される情報の一例を示す。
【図５】借受人情報格納部１５４に格納される情報の一例を示す。
【図６】履歴格納部１５６に格納される情報の一例を示す。
【図７】消毒情報格納部１５８に格納される情報の一例を示す。
【図８】消毒計画部１６６の機能ブロック図である。
【図９】消毒計画装置１１２のハードウェア構成の一例を示すブロック図である。
【符号の説明】
１００　貸出管理システム
１１２　消毒計画装置
１５０　在庫情報格納部
１５２　購入予定格納部
１５４　借受人情報格納部
１５６　履歴格納部
１５８　消毒情報格納部
１６０　貸出予測部
１６２　返却予測部
１６６　消毒計画部
【図１】
2004070927.tif 000003
【図２】
2004070927.tif 000004
【図３】
2004070927.tif 000005
【図４】
2004070927.tif 000006
【図５】
2004070927.tif 000007
【図６】
2004070927.tif 000008
【図７】
2004070927.tif 000009
【図８】
2004070927.tif 000010
【図９】
2004070927.tif 000011